(57)【特許請求の範囲】
【請求項１】
コンテンツ編集装置で作成された広角カメラ映像ファイルと注視範囲指定ファイルとに基づき、広角カメラ映像中の注視範囲の広角カメラ映像を表示させるコンテンツ再生装置であって、
視聴者からの表示範囲の変更指示に応じて設定した視聴範囲に前記注視範囲が含まれない場合に、前記視聴範囲の広角カメラ映像に前記注視範囲の広角カメラ映像を重畳して表示させる表示指示部
を備えたコンテンツ再生装置。
【請求項２】
前記表示指示部は、
前記広角カメラ映像ファイルと前記注視範囲指定ファイルとに基づき、前記注視範囲の広角カメラ映像を表示させる注視範囲表示指示部と、
前記表示範囲の変更指示を受け付けた場合に、当該変更指示に応じて前記視聴範囲を設定する視聴範囲設定部と、
前記視聴範囲設定部が設定した視聴範囲に前記注視範囲が含まれるかどうかを判定する範囲判定部と、
前記範囲判定部が、前記視聴範囲に前記注視範囲が含まれないと判定した場合に、前記視聴範囲に対する前記注視範囲の相対位置を算出する位置情報検索部と、
前記位置情報検索部による前記相対位置の算出結果に基づき、前記視聴範囲の広角カメラ映像を、前記視聴範囲において重畳表示させる表示位置を決定する注視範囲表示位置決定部と、
前記注視範囲表示位置決定部が決定した表示位置に応じて、前記視聴範囲の広角カメラ映像に前記注視範囲の広角カメラ映像を重畳して表示させる視聴範囲表示指示部
とを備えたことを特徴とする請求項１記載のコンテンツ再生装置。
【請求項３】
前記視聴範囲設定部は、センサから取得した３次元空間座標上の方向情報に基づき、前記視聴範囲を設定する
ことを特徴とする請求項２記載のコンテンツ再生装置。
【請求項４】
前記注視範囲表示位置決定部は、
前記視聴範囲からみて前記注視範囲が存在する方向の前記視聴範囲上の位置を、前記注視範囲の広角カメラ映像を重畳表示させる表示位置とする
ことを特徴とする請求項２記載のコンテンツ再生装置。
【請求項５】
前記注視範囲表示位置決定部は、
前記注視範囲の広角カメラ映像に加え、前記注視範囲の存在する方向をガイドするガイド情報を作成し、
前記視聴範囲表示指示部は、
前記注視範囲表示位置決定部が作成したガイド情報を前記注視範囲の広角カメラ映像とともに前記視聴範囲の広角カメラ映像に重畳して表示させる
ことを特徴とする請求項２または請求項４記載のコンテンツ再生装置。
【請求項６】
前記ガイド情報は、前記視聴範囲から前記注視範囲までの距離を示す情報である
ことを特徴とする請求項５記載のコンテンツ再生装置。
【請求項７】
前記ガイド情報は、前記視聴範囲と前記注視範囲とのスケールの差を示す情報である
ことを特徴とする請求項５記載のコンテンツ再生装置。
【請求項８】
前記注視範囲が複数ある場合、前記表示指示部は、当該複数の注視範囲各々について、前記視聴範囲に前記注視範囲が含まれない場合に、前記視聴範囲の広角カメラ映像に前記注視範囲の広角カメラ映像を重畳して表示させる
ことを特徴とする請求項１記載のコンテンツ再生装置。
【発明の詳細な説明】
【技術分野】
【０００１】
この発明は、広角カメラで撮影した映像の再生時に撮影者が視聴者に見てもらいたいアングルに誘導し注視に導くためのファイルを作成するコンテンツ編集装置、および、当該コンテンツ編集装置で作成されたファイルに基づき、広角カメラコンテンツの再生を行うコンテンツ再生装置に関するものである。
【背景技術】
【０００２】
昨今、様々な製造／保守の業界で、団塊世代退職による熟練者不足が問題となっており、熟練技能を若手に伝承するための技能伝承ソリューションの提供として熟練者の作業をビデオで撮影し、映像で技能伝承を強化する傾向がある。
このように映像を活用することで、従来のドキュメント教材による技能伝承では技能が伝わりづらかったという問題を解消し高度な技能を効率的に伝承することができる。
この時、伝承したいことを映像に盛り込む動画ガイダンス編集者と、実際に動画ガイダンスを観る動画ガイダンス視聴者がいるが、編集者の伝えたい内容と視聴者が確認したい内容が必ずしも一致するとは限らない。視聴者が確認したい機器の周囲の状況が動画ガイダンスに収録されていない場合があるため、伝承対象の作業映像に加え、その時の周囲の状況の伝達が技能伝承では重要である。
【０００３】
一方、視聴者に伝えたいことを映像に盛り込む技術として、例えば、特許文献１には、パノラマ動画のうちの一部の領域を表示装置に表示し、パノラマ画像上における目標を設定して、表示装置に表示させた表示範囲と目標との関係を表わすガイド情報を表示する方法が開示されている。
【先行技術文献】
【特許文献】
【０００４】
【特許文献１】特開２０１３−２５０８３０号公報
【発明の概要】
【発明が解決しようとする課題】
【０００５】
上述したように、技能伝承においては、伝承対象の作業映像に加え、その時の周囲の状況の伝達が重要である。
しかし、画角が決まった映像では、画角に必要な情報を収めるため、編集者は、撮影のアングルを事前に決めたり、撮影した映像を編集する必要があり、撮影・編集ともに手間であるという問題があった。
このような問題を解決する方法として、例えば、広角カメラを利用する方法がある。しかしながら、広角カメラでは、広範囲の映像が記録されており、撮影漏れは発生しにくく、アングルを事前に決める手間は簡略できるが、取得映像が広範囲すぎるため、注視して欲しい対象を伝達できない可能性があるという問題が発生する。
このような問題に対して、特許文献１のような従来技術では、パノラマ動画を表示できるようにすることで広範囲の映像を記録可能とし、撮影・編集における手間を低減させることができる。
また、ガイドを表示することで、視聴者に注意してほしい目標があることを伝達することができる。
しかしながら、特許文献１のような従来技術では、ガイドによって目標の存在を伝達することはできても、伝達したい映像の範囲および内容を具体的に表示させるものではないため、表示画面に表示された映像において、視聴者に注視してほしい対象の範囲を的確に伝達しきれていないという課題があった。
【０００６】
この発明は上記のような課題を解決するためになされたもので、視聴者が確認したい内容が収録されていないという撮影漏れを防ぎ、編集者が視聴者に伝えたい範囲の映像と、当該視聴者に伝えたい範囲の周囲の映像とを含む技能伝承用ファイルを作成することができるコンテンツ編集装置を提供することを目的とする。
【課題を解決するための手段】
【０００７】
この発明に係るコンテンツ再生装置は、コンテンツ編集装置で作成された広角カメラ映像ファイルと注視範囲指定ファイルとに基づき、広角カメラ映像中の注視範囲の広角カメラ映像を表示させるコンテンツ再生装置であって、視聴者からの表示範囲の変更指示に応じて設定した視聴範囲に前記注視範囲が含まれない場合に、前記視聴範囲の広角カメラ映像に前記注視範囲の広角カメラ映像を重畳して表示させる表示指示部を備えた。
【発明の効果】
【０００８】
この発明のコンテンツ編集装置によれば、視聴者が確認したい内容が収録されていないという撮影漏れを防ぎ、編集者が視聴者に伝えたい範囲の映像と、当該視聴者に伝えたい範囲の周囲の映像とを含む技能伝承用ファイルを作成することができる。これにより、当該コンテンツ編集装置が作成した伝承用ファイルを元に広角カメラ映像を再生するコンテンツ再生装置において、視聴者が確認したい周囲の状況と技能伝承の対象作業が、同時に確認できるので、より効率的な技能伝承が可能となる。
【図面の簡単な説明】
【０００９】
【図１】この発明の実施の形態１において、広角カメラで撮影された広角カメラ映像が、コンテンツ編集装置で編集され、コンテンツ再生装置で再生される流れを説明する図である。
【図２】この発明の実施の形態１に係るコンテンツ編集装置の構成図である。
【図３】この発明の実施の形態１に係るコンテンツ再生装置の構成図である。
【図４】この発明の実施の形態１に係るコンテンツ編集装置の動作を説明するフローチャートである。
【図５】実施の形態１において、注視範囲指定ファイルの一例を説明する図である。
【図６】この発明の実施の形態１に係るコンテンツ再生装置の動作を説明するフローチャートである。
【図７】実施の形態１において、注視範囲表示指示部が表示部に表示させる画面の一例を説明する図である。
【図８】実施の形態１において、図６のステップＳＴ６０８で視聴範囲表示指示部が表示部に表示させる画面の一例を説明する図である。
【図９】実施の形態１において、位置情報検索部による、注視範囲が存在する方向の判定の動作の一例を説明する図である。
【図１０】実施の形態１において、注視範囲表示位置決定部による、注視範囲の広角カメラ映像を、視聴範囲において重畳表示させる表示位置および表示内容の決定動作の一例を説明する図である。
【図１１】実施の形態１において、図６のステップＳＴ６１２で視聴範囲表示指示部が表示部に表示させる画面の一例を説明する図である。
【図１２】この発明の実施の形態１に係るコンテンツ編集装置のハードウェア構成の一例を示す図である。
【図１３】この発明の実施の形態１に係るコンテンツ再生装置のハードウェア構成の一例を説明する図である。
【発明を実施するための形態】
【００１０】
以下、この発明の実施の形態について、図面を参照しながら詳細に説明する。
実施の形態１．
図１は、この発明の実施の形態１において、広角カメラ３で撮影された広角カメラ映像が、コンテンツ編集装置１で編集され、コンテンツ再生装置２で再生される流れを説明する図である。
図１に示すように、コンテンツ編集装置１は、広角カメラ３から広角カメラ映像を取得し、取得した広角カメラ映像から、編集者が伝承したい注視範囲情報を含んだ注視範囲指定ファイルを作成、出力する。コンテンツ編集装置１は、注視範囲指定ファイルと、広角カメラ３から取得した広角カメラ映像情報を含んだ広角カメラ映像ファイルとを記録させた記録媒体を作成する。なお、この実施の形態１において、記録媒体に記録させる広角カメラ映像ファイルと注視範囲指定ファイルとをあわせて技能伝承用ファイルとする。
コンテンツ再生装置２は、コンテンツ編集装置１が作成した記録媒体を読み込んで、技能伝承用ファイル、すなわち、注視範囲指定ファイルと広角カメラ映像ファイルとを取得し、広角カメラ映像に注視範囲を重畳させた映像を再生する。
【００１１】
なお、ここでは、コンテンツ編集装置１は、技能伝承用ファイルを記録させた記録媒体によって、当該技能伝承用ファイルをコンテンツ再生装置２へ送出するものとするが、これに限らず、ネットワーク環境が整っている場所では、コンテンツ編集装置１およびコンテンツ再生装置２は、作成した技能伝承用ファイルをネットワークに公開して配信するＷｅｂサーバを利用して、情報のやり取りを行うこともできる。
【００１２】
また、広角カメラ３とコンテンツ編集装置１との間の広角カメラ映像のやり取りについても、ここでは、記録媒体を介して行われるものとするが、これに限らず、ネットワーク環境が整っている場所では、広角カメラ３が撮像した広角カメラ映像をネットワークに公開して配信するＷｅｂサーバを利用することができる。
【００１３】
コンテンツ編集装置１は、例えば、動画ガイダンスのような映像・音声・テキスト等を含むデジタルコンテンツを作成可能なデジタルコンテンツ編集システムを実装しているパソコン等が該当する。
コンテンツ再生装置２は、例えば、動画ガイダンスのようなデジタルコンテンツ再生システムを実装しているタブレットや、スマートグラスなどのグラス型ウェアラブルデバイス等が該当する。
広角カメラ３は、例えば、全天球カメラ等が該当する。
【００１４】
図２は、この発明の実施の形態１に係るコンテンツ編集装置１の構成図である。
コンテンツ編集装置１は、カメラ映像取得部１１と、操作受付部１２と、調整部１３と、注視範囲指定ファイル作成部１４と、ファイル出力制御部１５と、記録媒体１６と、表示部１７とを備える。なお、この実施の形態１においては、コンテンツ編集装置１は、パソコンを想定している。
注視範囲指定ファイル作成部１４は、注視位置座標指定部１４１と、矩形範囲指定部１４２と、ファイル作成部１４３とを備え、記録媒体１６には、広角カメラ映像ファイル１６１と注視範囲指定ファイル１６２とが記録される。
【００１５】
カメラ映像取得部１１は、広角カメラ３が撮像した広角カメラ映像を取得する。
操作受付部１２は、編集者からの操作を受け付ける。
調整部１３は、操作受付部１２が受け付けた操作指示に基づき、広角カメラ３から取得した広角カメラ映像に対して、広角カメラ映像の輝度バランスやカラーバランス等の調整、作業シーン以外の不要箇所の削除等を行う。ここでは、当該調整部１３による処理を前処理という。
【００１６】
注視範囲指定ファイル作成部１４は、編集者から受け付けた、広角カメラ３が撮影した広角カメラ映像の任意の時刻のシーンに対する視聴者に注視させたい矩形領域である注視範囲の指定情報に基づき、当該注視範囲を特定する情報が設定された注視範囲指定ファイル１６２を作成する。
注視範囲指定ファイル作成部１４の注視位置座標指定部１４１は、操作受付部１２が編集者から受け付けた、広角カメラ映像の任意の時刻のシーンに対する基準位置の指定情報に基づき、広角カメラ映像における注視範囲の基準位置の座標を算出する。なお、この実施の形態１においては、基準位置は、例えば、注視範囲の左上隅の位置とし、注視位置座標指定部１４１は、広角カメラ映像における、当該注視範囲の左上隅の位置のｘｙ座標を算出する。
なお、広角カメラ３から取得する広角カメラ映像では、例えば、撮影フロア平面座標上での、広角カメラ３が撮影する範囲内に存在する物体の撮影画像上での位置座標をもとに座標が予め設定されている。すなわち、広角カメラ映像上の座標は予め決まっている。
当該予め決まった座標に基づき、注視位置座標指定部１４１は、注視範囲の左上隅の座標を算出する。すなわち、予め決まった広角カメラ映像上のどの座標の位置に注視範囲である矩形の左上隅が位置されるかで座標を決定する。以下、この発明の実施の形態１において、座標とは、広角カメラ映像上の予め決められている座標のことをいう。
【００１７】
注視範囲指定ファイル作成部１４の矩形範囲指定部１４２は、操作受付部１２が編集者から受け付けた、基準位置からの注視範囲の大きさの指定情報に基づき、注視範囲を算出する。具体的には、この実施の形態１では、矩形範囲指定部１４２は、注視範囲の左上隅の位置からの、注視矩形範囲の縦横長さを算出する。
【００１８】
なお、この実施の形態１では、編集者から、注視範囲の左上隅の位置と、当該左上隅を基点とした、注視範囲の大きさの指定を受け付け、注視範囲指定ファイル作成部１４は、当該編集者から指定された内容に基づき注視範囲指定ファイル１６２を作成するようにしたが、これに限らず、例えば、編集者から、注視範囲の中心の位置と、当該中心の位置から縦横長さの指定を受け付け、当該編集者から指定された内容に基づき注視範囲指定ファイル１６２を作成するようにしてもよく、広角カメラ映像において、注視させたい矩形領域、すなわち、注視範囲が特定できる情報を含むようになっていればよい。
【００１９】
注視範囲指定ファイル作成部１４のファイル作成部１４３は、注視位置座標指定部１４１が算出した基準位置の座標と、矩形範囲指定部１４２が算出した注視範囲の縦横長さの情報を含む注視範囲指定ファイル１６２を作成し、ファイル出力制御部１５に出力する。
なお、注視範囲指定ファイル１６２は、例えば、テキスト形式で、少なくとも、広角カメラ映像のシーンを指定する時刻情報と、注視位置座標指定部１４１が算出した基準位置の座標の情報と、矩形範囲指定部１４２が算出した注視範囲の縦横長さの情報とが紐付けられた情報が含まれる。
【００２０】
ファイル出力制御部１５は、注視範囲指定ファイル作成部１４のファイル作成部１４３が出力した注視範囲指定ファイル１６２と、カメラ映像取得部１１が広角カメラ３から取得した広角カメラ映像ファイル１６１とを、技能伝承用ファイルとして記録媒体１６に記録させる。なお、この実施の形態１では、ファイル出力制御部１５は、技能伝承用ファイルを記録媒体１６に記録させるものとしたが、ネットワーク環境が整っている場所では、ファイル出力制御部１５は、技能伝承用ファイルをネットワークに出力する。
記録媒体１６は、注視範囲指定ファイル１６２と広角カメラ映像ファイル１６１とを記録する。
表示部１７は、カメラ映像取得部１１あるいは調整部１３からの指示に基づき、広角カメラ３から取得した広角カメラ映像、あるいは、調整部１３による前処理後の広角カメラ映像を表示する。
なお、この実施の形態１では、表示部１７は、コンテンツ編集装置１が備えるものとしたが、これに限らず、表示部１７は、コンテンツ編集装置の外部に備えるものとしてもよい。
【００２１】
図３は、この発明の実施の形態１に係るコンテンツ再生装置２の構成図である。
コンテンツ再生装置２は、映像取得部２１と、操作受付部２２と、表示指示部２３と、表示部２４とを備える。
表示指示部２３は、注視範囲表示指示部２３１と、視聴範囲設定部２３２と、範囲判定部２３３と、位置情報検索部２３４と、注視範囲表示位置決定部２３５と、視聴範囲表示指示部２３６とを備える。
視聴範囲設定部２３２は、座標指定部２３２１と、範囲指定部２３２２とを備える。
なお、この実施の形態１においては、コンテンツ再生装置２は、動画ガイダンスのようなデジタルコンテンツ再生システムを実装しているタブレットを想定している。
【００２２】
映像取得部２１は、コンテンツ編集装置１で作成された記録媒体１６を読み込み、広角カメラ映像ファイル１６１と、注視範囲指定ファイル１６２とを取得する。映像取得部２１は、当該取得した広角カメラ映像ファイル１６１と、注視範囲指定ファイル１６２の情報を、例えば、自身の空き領域やコンテンツ再生装置２の空き領域等に一時保存する。ここでは、映像取得部２１は、自身の空き領域に一時保存するものとする。
操作受付部２２は、視聴者からの各種操作を受け付ける。
【００２３】
表示指示部２３は、操作受付部２２が視聴者から受け付けた表示範囲の変更指示の情報に基づき視聴範囲を決定し、当該視聴範囲に注視範囲が含まれない場合に、視聴範囲の広角カメラ映像に注視範囲の広角カメラ映像を重畳して表示部２４に表示させる。
このとき、表示指示部２３は、注視範囲と視聴範囲の位置関係・移動量を求め、注視範囲が視聴範囲に対してどの位置にあるかを判定して、当該判定結果に基づき、注視範囲の広角カメラ映像を重畳表示させる視聴範囲内の表示位置を決定する。
【００２４】
表示指示部２３の注視範囲表示指示部２３１は、映像取得部２１が一時保存した広角カメラ映像ファイル１６１と注視範囲指定ファイル１６２とを参照し、注視範囲の広角カメラ映像を表示部２４に表示させる。また、注視範囲表示指示部２３１は、注視範囲の情報、すなわち、注視範囲指定ファイル１６２に記録されている注視範囲の情報を、視聴範囲設定部２３２に出力する。
【００２５】
表示指示部２３の視聴範囲設定部２３２は、映像取得部２１に一時記憶された広角カメラ映像ファイル１６１を参照し、操作受付部２２が受け付けた視聴者からの表示範囲の変更指示に応じて視聴範囲を決定する。なお、この実施の形態１では、視聴者からの表示範囲の変更指示に応じて表示させる広角カメラ映像の表示範囲を視聴範囲とする。
視聴範囲設定部２３２は、決定した視聴範囲の座標の情報と、注視範囲の情報を、範囲判定部２３３に出力する。
【００２６】
具体的には、視聴者は、例えば、カーソル移動により、見たい視聴範囲の周囲の範囲の左上隅の位置を指定する。操作受付部２２は当該指定操作を受け付け、視聴範囲設定部２３２の座標指定部２３２１は、操作受付部２２からの当該指定操作の情報に基づき、指定された位置の座標を視聴範囲の左上隅の座標に指定する。さらに、視聴者は、例えば、指定した左上隅の位置からカーソルを移動させ、表示させたい範囲を設定する。操作受付部２２は当該範囲設定操作を受け付け、視聴範囲設定部２３２の範囲指定部２３２２は、操作受付部２２からの当該範囲設定操作の情報に基づき、設定された範囲を視聴範囲に指定する。このようにして、視聴範囲設定部２３２において、左上隅の座標を基準とした視聴範囲が決定される。
【００２７】
表示指示部２３の範囲判定部２３３は、視聴範囲設定部２３２が出力した視聴範囲の情報と注視範囲の情報とに基づき、当該視聴範囲に、注視範囲が含まれるかどうかを判定する。具体的には、視聴範囲設定部２３２が出力した視聴範囲の座標と、注視範囲の座標とから、視聴範囲に注視範囲が含まれるかどうかを判定する。
視聴範囲に、注視範囲が含まれている場合、範囲判定部２３３は、注視範囲が含まれている旨の情報と、視聴範囲の情報と、注視範囲の情報とを視聴範囲表示指示部２３６に出力する。
視聴範囲に、注視範囲が含まれていない場合、範囲判定部２３３は、注視範囲が含まれていない旨の情報と、視聴範囲の情報と、注視範囲の情報とを、位置情報検索部２３４に出力する。
【００２８】
表示指示部２３の位置情報検索部２３４は、視聴範囲の情報と注視範囲の情報とに基づき、視聴範囲に対する注視範囲の相対位置を算出する。ここでは、位置情報検索部２３４は、注視範囲が視聴範囲に対してどの方向の位置に存在するかを判定する。
具体的には、ここでは、位置情報検索部２３４は、注視範囲の中心の座標が、視聴範囲の中心の座標からみて、視聴範囲の予め設定された分割領域のどの方向に存在するのかを判定する。位置情報検索部２３４は、当該判定結果と視聴範囲の情報と注視範囲の情報とを注視範囲表示位置決定部２３５に出力する。
【００２９】
表示指示部２３の注視範囲表示位置決定部２３５は、位置情報検索部２３４による視聴範囲に対する注視範囲の相対位置の算出結果に基づき、視聴範囲外となった注視範囲の広角カメラ映像を、視聴範囲において重畳表示させる表示位置および表示内容を決定する。注視範囲表示位置決定部２３５は、決定した注視範囲の広角カメラ映像の表示位置および表示内容の情報と、視聴範囲の情報と、注視範囲の情報とを、視聴範囲表示指示部２３６に出力する。
【００３０】
表示指示部２３の視聴範囲表示指示部２３６は、注視範囲が視聴範囲に含まれている場合、範囲判定部２３３から取得した視聴範囲の情報と注視範囲の情報とに基づき、表示部２４に視聴範囲を表示させる。また、視聴範囲表示指示部２３６は、注視範囲が視聴範囲に含まれていない場合、注視範囲表示位置決定部２３５が出力した注視範囲の広角カメラ映像の表示位置および表示内容の情報と、視聴範囲の情報と、注視範囲の情報とに基づき、視聴範囲の広角カメラ映像に注視範囲の広角カメラ映像を重畳表示させた広角カメラ映像を表示部２４に表示させる。
【００３１】
表示部２４は、視聴範囲表示指示部２３６からの指示に基づき、注視範囲あるいは視聴範囲の広角カメラ映像を表示する。
なお、この実施の形態１では、表示部２４は、コンテンツ再生装置２が備えるものとしたが、これに限らず、表示部２４は、コンテンツ再生装置２の外部に備えられるものとしてもよい。
【００３２】
動作について説明する。
この実施の形態１においては、コンテンツ編集装置１による広角カメラ３が撮影した広角カメラ映像の編集動作と、コンテンツ再生装置２によるコンテンツ編集装置１が編集した広角カメラ映像の視聴動作があり、以下、それぞれについて説明する。
図４は、この発明の実施の形態１に係るコンテンツ編集装置１の動作を説明するフローチャートである。
まず、図４に沿って、コンテンツ編集装置１における広角カメラ映像の編集動作について説明する。
【００３３】
操作受付部１２は、編集者からの編集開始指示を受け付けるまで待機する（ステップＳＴ４０１の“ＮＯ”の場合）。
なお、編集者は、例えば、パソコンを立ち上げ、編集開始ボタンをクリックする等して、編集開始を指示し、操作受付部１２は、当該操作を受け付けたかどうかによって、編集開始指示を受け付けたかどうかを判断する。
【００３４】
操作受付部１２が、編集者からの編集開始指示を受け付けると（ステップＳＴ４０１の“ＹＥＳ”の場合）、カメラ映像取得部１１は、広角カメラ３が撮像した広角カメラ映像を取得する（ステップＳＴ４０２）。このとき、カメラ映像取得部１１は、取得した広角カメラ映像を、表示部１７に表示させる。
この実施の形態１では、広角カメラ３とコンテンツ編集装置１との間の広角カメラ映像のやり取りは、記録媒体を介して行われるものする。編集者がパソコンに広角カメラ３が撮影した広角カメラ映像を収録したＳＤカード等の記録媒体を挿入し、編集開始ボタンをクリックする等して編集開始を指示すると、カメラ映像取得部１１が、当該広角カメラ映像を収録したＳＤカード等から広角カメラ映像を取得する。なお、広角カメラ３から取得する広角カメラ映像には、少なくとも撮影日時の情報と座標情報が付与されているものとする。
なお、カメラ映像取得部１１は、取得した広角カメラ映像を、広角カメラ映像ファイル１６１として、例えば、自身の空き領域、あるいは、コンテンツ編集装置１内部の空き領域に一時保存する。ここでは、自身の空きスペースに一時保存するものとする。
【００３５】
広角カメラ３から読み込んだ広角カメラ映像が表示部１７に表示されると、編集者は、まず、広角カメラ３から取得した広角カメラ映像に対して、表示部１７に表示された操作ボタン、あるいは、マウスによる操作等により、輝度バランスやカラーバランス等の調整、あるいは、作業シーン以外の不要箇所の削除等の操作を行う。
操作受付部１２は編集者からの上述したような操作を受け付け、調整部１３は、ステップＳＴ４０２でカメラ映像取得部１１が取得した広角カメラ映像について、当該操作に従った前処理を行う（ステップＳＴ４０３）。前処理とは、ここでは、上述したように、広角カメラ３から読み込んだ広角カメラ映像に対して、編集者からの操作に応じて調整部１３が行う処理である。
【００３６】
具体的には、例えば、操作受付部１２が、編集者から、指定した広角カメラ映像に対する輝度バランスやカラーバランスの調整指示を受け付け、調整部１３は、指定された広角カメラ映像に対して、操作受付部１２が受け付けた調整指示に応じた調整処理を行う。また、例えば、操作受付部１２が編集者から、指定した広角カメラ映像に対するシーン削除指示を受け付け、調整部１３は、指定された広角カメラ映像に対して、操作受付部１２が受け付けた削除指示に応じた削除処理を行う。
調整部１３は、前処理を行った広角カメラ映像を、例えば、自身の空き領域やコンテンツ編集装置１の空き領域等に一時保存する。ここでは、調整部１３は、自身の空き領域に一時保存するものとする。
【００３７】
編集者は、前処理を行うと、視聴者に注視してほしい範囲の映像ファイルである注視範囲指定ファイル１６２を作成する。なお、当該注視範囲指定ファイル１６２の作成は、デジタルコンテンツ編集システムを起動して行う。注視範囲指定ファイル１６２は、例えば、ＨＴＭＬファイルやＪａｖａＳｃｒｉｐｔファイル（ＪａｖａＳｃｒｉｐｔは登録商標）、スタイルシートファイル、映像ファイル、画像ファイル、テキストファイルなどのファイル群から構成される。
デジタルコンテンツ編集システムが起動されると、まず、編集者は、広角カメラ映像の任意の時刻のシーンの表示指示を行う。
【００３８】
操作受付部１２は、編集者からの、広角カメラ映像の任意の時刻のシーンの表示指示を受け付けると、調整部１３は、操作受付部１２から当該表示指示の情報を受け付け、該当の広角カメラ映像を表示部１７に表示させる（ステップＳＴ４０４）。
【００３９】
編集者は、表示部１７に表示された、広角カメラ映像の任意の時刻のシーンに対して、注視してほしい矩形領域、すなわち、注視範囲の左上隅に該当する位置を指定する。具体的には、例えば、ディスプレイ上でのマウス操作により、注視してほしい範囲の矩形の左上隅に該当する位置にカーソルを持ってきて、クリックする。
【００４０】
操作受付部１２は、編集者から注視領域とする矩形範囲の左上隅の位置の指定指示の操作を受け付け、当該指定指示の情報を注視範囲指定ファイル作成部１４の注視位置座標指定部１４１に出力し、注視位置座標指定部１４１は、当該指定指示の情報に基づき、編集者が指定した注視範囲の左上隅の位置のｘｙ座標を、ステップＳＴ４０３で調整部１３が一時保存した広角カメラ映像から指定する（ステップＳＴ４０５）。なお、当該注視範囲の左上隅の位置を、ここでは、基準位置とする。すなわち、注視位置座標指定部１４１は、ステップＳＴ４０５において、基準位置のｘｙ座標を指定する。
【００４１】
編集者は、注視領域とする矩形範囲の左上隅に該当する位置、すなわち、基準位置を指定すると、当該基準位置から、例えば、マウス等を用いたＧＵＩ操作によって、視聴者に見せたい範囲、すなわち、注視範囲の大きさを指定する。
【００４２】
操作受付部１２は、編集者から、視聴者に見せたい注視範囲の大きさ指定の操作を受け付け、当該大きさ指定の情報を注視範囲指定ファイル作成部１４の矩形範囲指定部１４２に出力し、矩形範囲指定部１４２は、当該大きさ指定の情報に基づき、注視範囲とする矩形範囲を、ステップＳＴ４０３で調整部１３が一時保存した広角カメラ映像から指定する（ステップＳＴ４０６）。具体的には、矩形範囲指定部１４２は、注視位置座標指定部１４１が指定した基準位置からの、矩形範囲の縦横長さを算出し、当該縦横長さを矩形範囲として指定する。
【００４３】
注視範囲指定ファイル作成部１４のファイル作成部１４３は、ステップＳＴ４０３で調整部１３が一時保存した広角カメラ映像と、ステップＳＴ４０５で注視位置座標指定部１４１が指定した基準位置の座標と、ステップＳＴ４０５で矩形範囲指定部１４２が指定した注視領域の矩形範囲の縦横長さの情報に基づき、注視範囲指定ファイル１６２を作成する（ステップＳＴ４０７）。ファイル作成部１４３は、作成した注視範囲指定ファイル１６２を、ファイル出力制御部１５に出力する。
【００４４】
図５は、実施の形態１において、注視範囲指定ファイル１６２の一例を説明する図である。
注視範囲指定ファイル１６２は、図５に示すように、広角カメラ映像のシーンを指定する時刻、すなわち、調整部１３が一時保存した広角カメラ映像に紐付けられた撮影時刻と、注視位置座標指定部１４１が指定した基準位置の座標の情報と、矩形範囲指定部１４２が指定した注視範囲の縦横長さの情報とを含む。
【００４５】
ファイル出力制御部１５は、ステップＳＴ４０７においてファイル作成部１４３が出力した注視範囲指定ファイル１６２と、ステップＳＴ４０２においてカメラ映像取得部１１が広角カメラ３から取得し一時保存した広角カメラ映像ファイル１６１とを、記録媒体１６に記録させる（ステップＳＴ４０８）。
【００４６】
操作受付部１２は、編集者からの編集終了指示を受け付けると（ステップＳＴ４０９の“ＹＥＳ”の場合）、処理終了する。
操作受付部１２は、編集者からの編集終了指示を受け付けない場合（ステップＳＴ４０９の“ＮＯ”の場合）、編集者から次の注視範囲の編集指示を受け付けたかどうかを判断し、次の注視範囲の編集指示を受け付けた場合（ステップＳＴ４１０の“ＹＥＳ”の場合）、ステップＳＴ４０３に戻り、以降の処理を繰り返す。次の注視範囲の編集指示を受け付けていない場合（ステップＳＴ４１０の“ＮＯ”の場合）は、一定期間待機し（ステップＳＴ４１１の“ＮＯ”の場合）、一定期間経過すると、編集処理を終了したものとして処理終了する（ステップＳＴ４１１の“ＹＥＳ”の場合）。
【００４７】
このように、編集者は、次の注視範囲の編集開始を指示することで、複数の注視範囲指定ファイル１６２を作成することができる。
編集者は、例えば、編集開始ボタンをクリックする等して次の注視範囲の編集指示を行うようにすればよい。
【００４８】
なお、この実施の形態１では、ステップＳＴ４０５，４０６において、編集者から、注視させたい矩形、すなわち、注視範囲の左上隅の位置と、当該左上隅を基点とした、注視範囲の縦横長さの指定を受け付け、注視範囲指定ファイル作成部１４は、当該編集者から指定された内容に基づき注視範囲指定ファイル１６２を作成するようにしたが、これに限らず、例えば、編集者から、注視範囲の中心の位置と、当該中心の位置から縦横長さの指定を受け付け、当該編集者から指定された内容に基づき注視範囲指定ファイル１６２を作成するようにしてもよく、広角カメラ映像において、注視範囲が特定できる情報を含むようになっていればよい。
【００４９】
図６は、この発明の実施の形態１に係るコンテンツ再生装置２の動作を説明するフローチャートである。
次に、図６に沿って、コンテンツ再生装置２における再生動作について説明する。
操作受付部２２は、視聴者からの記録媒体読み込み指示を受け付けるまで待機する（ステップＳＴ６０１の“ＮＯ”の場合）。
なお、視聴者は、例えば、タブレットの電源を入れ、記録媒体１６を挿入し、読み込み開始ボタンをクリックする等して、記録媒体の読み込みを指示し、操作受付部２２は、当該操作を受け付けたかどうかによって、記録媒体読み込み開始指示を受け付けたかどうかを判断する。
【００５０】
操作受付部２２が、視聴者からの記録媒体読み込み指示を受け付けると（ステップＳＴ６０１の“ＹＥＳ”の場合）、映像取得部２１は、記録媒体１６を読み込み、広角カメラ映像ファイル１６１と、注視範囲指定ファイル１６２とを取得する（ステップＳＴ６０２）。映像取得部２１は、当該取得した広角カメラ映像ファイル１６１と、注視範囲指定ファイル１６２の情報を、例えば、自身の空き領域やコンテンツ再生装置２の空き領域等に一時保存する。ここでは、映像取得部２１は、自身の空き領域に一時保存するものとする。
操作受付部２２は、視聴者から、映像再生指示を受け付けるまで待機する（ステップＳＴ６０３の“ＮＯ”の場合）。
【００５１】
操作受付部２２は、視聴者から、映像再生指示を受け付けると（ステップＳＴ６０３の“ＹＥＳ”の場合）、当該指示を受け付けた情報を、表示指示部２３の注視範囲表示指示部２３１に出力し、注視範囲表示指示部２３１は、映像取得部２１が一時保存した広角カメラ映像ファイル１６１と注視範囲指定ファイル１６２とを参照し、注視範囲の広角カメラ映像を表示部２４に表示させる（ステップＳＴ６０４）。
【００５２】
具体的には、例えば、映像取得部２１は、記録媒体を読み込んだ際に、注視範囲指定ファイル１６２の内容一覧を表示部２４に表示させるようにする。視聴者は、表示部２４を確認して、マウス等の入力部（図示省略）より、所望の内容を選択操作する。操作受付部２２は、当該選択操作を広角カメラ映像再生指示として受け付け、注視範囲表示指示部２３１に受け付けた情報を出力する。
【００５３】
そして、注視範囲表示指示部２３１は、受け付けた情報に基づき、注視範囲指定ファイル１６２を参照して該当の注視範囲の広角カメラ映像を広角カメラ映像ファイル１６１から抽出して表示部２４に表示させる。なお、注視範囲指定ファイル１６２には注視範囲の左上隅の座標および注視範囲の縦横長さが記録されているので、当該注視範囲の左上隅の座標および注視範囲の縦横長さに基づいて広角カメラ映像上の注視範囲が特定できる。
また、注視範囲表示指示部２３１は、注視範囲の情報、すなわち、注視範囲指定ファイル１６２に記録されている注視範囲の情報を、視聴範囲設定部２３２に出力する。
【００５４】
ここで、注視範囲表示指示部２３１が表示部２４に表示させる画面は、例えば、図７のようになる。
ステップＳＴ６０４において、注視範囲表示指示部２３１は、図７に示すように、編集者から指示された注視範囲の広角カメラ映像を表示させる。なお、このとき、例えば、図７に示すように、注視範囲表示指示部２３１は、注視範囲の四隅の予め設定された位置に、注視範囲、すなわち、伝えたいアングルであることを示すかぎ括弧（図７のＰ）を表示させるようにしてもよい。
【００５５】
視聴者は、表示部２４に表示された注視範囲の広角カメラ映像を確認する。
ここで、編集者が伝えたい内容と視聴者が確認したい内容が必ずしも一致しているとは限らず、視聴者は、注視範囲の周囲の状況を確認したい場合がある。
【００５６】
以下、図６に沿って、視聴者からの指示を受け付け、注視範囲の周囲の状況を表示部２４に表示させる動作について説明する。
操作受付部２２は、視聴者から表示範囲の変更指示を受け付けたかどうかを判定する（ステップＳＴ６０５）。
ステップＳＴ６０５において、視聴者から表示範囲の変更指示を受け付けない場合（ステップＳＴ６０５の“ＮＯ”の場合）、再生終了の指示があるまで待機し（ステップＳＴ６１３の“ＮＯ”の場合）、再生終了の指示があれば（ステップＳＴ６１３の“ＹＥＳ”の場合）、処理終了する。
【００５７】
ステップＳＴ６０５において、視聴者から表示範囲の変更指示を受け付けると（ステップＳＴ６０５の“ＹＥＳ”の場合）、表示指示部２３の視聴範囲設定部２３２は、映像取得部２１に一時記憶された広角カメラ映像ファイル１６１を参照し、操作受付部２２が受け付けた視聴者からの指示に応じた視聴範囲を決定する（ステップＳＴ６０６）。なお、ここでは、視聴者の指示に応じて表示させる広角カメラ映像の表示範囲を視聴範囲とする。また、視聴範囲は矩形領域とする。
視聴範囲設定部２３２は、決定した視聴範囲の座標の情報と、注視範囲の情報を、範囲判定部２３３に出力する。
【００５８】
具体的には、視聴者は、例えば、カーソル移動により、見たい視聴範囲の周囲の範囲の左上隅の位置を指定する。操作受付部２２は当該指定操作を受け付け、視聴範囲設定部２３２の座標指定部２３２１は、操作受付部２２からの当該指定操作の情報に基づき、指定された位置の座標を視聴範囲の左上隅の座標に指定する。さらに、視聴者は、例えば、指定した左上隅の位置からカーソルを移動させ、表示させたい大きさを設定する。操作受付部２２は当該範囲設定操作を受け付け、視聴範囲設定部２３２の範囲指定部２３２２は、操作受付部２２からの当該大きさの設定情報に基づき、設定された範囲を視聴範囲に指定する。このようにして、視聴範囲設定部２３２において、左上隅の座標を基準とした視聴範囲が決定される。
【００５９】
画角が決まったビデオでは注視範囲のみを撮影するため撮影漏れが発生し、周囲の状況を視聴することができないが、この実施の形態１では、コンテンツ編集装置１において、広角カメラが撮影した広範囲の広角カメラ映像ファイル１６１が記録された記録媒体を作成しているため、撮影漏れは発生しにくく、撮影アングルを事前に手間も簡略化できる。また、コンテンツ再生装置２では、当該記録媒体に記録された広範囲の広角カメラ映像ファイル１６１から広角カメラ映像を再生できるようにしたため、視聴者は、注視範囲の周囲の状況を表示部２４で確認するようにすることができる。
【００６０】
なお、ここでは、視聴者は、見たい範囲の左上隅の位置を指定し、そこからカーソル移動することで見たい範囲の大きさを設定する操作を行い、当該操作を受け付けて、視聴範囲を決定するものとしたが、これは一例にすぎず、視聴者がその他の方法によって行った指示操作に基づき、視聴範囲を決定するようにしてもよい。例えば、視聴者は、矢印ボタンをクリックし、１回クリックされる毎に予め決められた方向に表示範囲を広げ、当該広げた範囲を視聴範囲に決定するようにしてもよい。
また、視聴者は、時刻を指定できるようにし、指定された任意の時刻のシーンに対して視聴範囲を決定するようにすることもできる。
【００６１】
表示指示部２３の範囲判定部２３３は、ステップＳＴ６０６において視聴範囲設定部２３２が出力した視聴範囲の情報と注視範囲の情報とに基づき、当該視聴範囲に、注視範囲が含まれるかどうかを判定する（ステップＳＴ６０７）。具体的には、視聴範囲設定部２３２が出力した視聴範囲の座標と、注視範囲の座標とから、視聴範囲に注視範囲が含まれるかどうかを判定する。
【００６２】
ステップＳＴ６０７において、視聴範囲に注視範囲が含まれていると判断した場合（ステップＳＴ６０７の“ＹＥＳ”の場合）、範囲判定部２３３は、視聴範囲に注視範囲が含まれている旨の情報と視聴範囲の情報と注視範囲の情報とを表示指示部２３の視聴範囲表示指示部２３６に出力し、視聴範囲表示指示部２３６は、範囲判定部２３３から取得した視聴範囲の情報と注視範囲の情報とに基づき、表示部２４に視聴範囲を表示させる（ステップＳＴ６０８）。
【００６３】
ここで、図８は、ステップＳＴ６０８で視聴範囲表示指示部２３６が表示部２４に表示させる画面の一例を説明する図である。
図８において、ａで示す範囲が注視範囲であり、ｂで示す範囲が視聴範囲である。
視聴範囲表示指示部２３６は、図８に示すように、範囲判定部２３３から出力された視聴範囲を表示部２４に表示させる。また、このとき、視聴範囲表示指示部２３６は、範囲判定部２３３から取得した注視範囲の情報に基づき、図８に示すように、注視範囲の四隅の予め設定された位置に、注視範囲であることを示す、例えばかぎ括弧（図８のＰ）を表示させる。
そして、ステップＳＴ６０９へ進む。ステップＳＴ６０９の動作については後述する。
【００６４】
一方、ステップＳＴ６０７において、視聴範囲に注視範囲が含まれていないと判断した場合（ステップＳＴ６０７の“ＮＯ”の場合）、範囲判定部２３３は、視聴範囲に注視範囲が含まれていない旨の情報と視聴範囲の情報と注視範囲の情報とを、表示指示部２３の位置情報検索部２３４に出力し、位置情報検索部２３４は、視聴範囲の情報と注視範囲の情報とに基づき、視聴範囲に対する注視範囲の相対位置を算出する（ステップＳＴ６１０）。ここでは、位置情報検索部２３４は、注視範囲が視聴範囲に対してどの方向の位置にあるかを判定する。
具体的には、ここでは、位置情報検索部２３４は、注視範囲の中心の座標が、視聴範囲の中心の座標からみて、視聴範囲の予め設定された分割領域のどの方向にあるのかを判定する。なお、位置情報検索部２３４は、当該判定結果と視聴範囲の情報と注視範囲の情報とを注視範囲表示位置決定部２３５に出力する。
【００６５】
ここで、図９は、位置情報検索部２３４による、注視範囲が存在する方向の判定の動作の一例を説明する図である。
図９において、ｂは視聴範囲、ａ１〜ａ４は注視範囲を示す。また、ここでは、視聴範囲の予め設定された分割領域は、図９に示すように、視聴範囲の中心Ｙを通り、視聴範囲の矩形の辺に平行な線によって、視聴範囲の右上（図９の（１））、右下（図９の（２））、左上（図９の（３））、左下（図９の（４））の分割領域に４分割されているものとする。
例えば、注視範囲がａ１に示す位置にあるとすると、位置情報検索部２３４は、視聴範囲の中心の座標Ｘ１は、視聴範囲の中心Ｙからみて、視聴範囲の右上の方向にあると判定する。
【００６６】
なお、ステップＳＴ６１０において、位置情報検索部２３４は、視聴範囲と注視範囲の座標から、例えば、注視範囲から視聴範囲への移動量を算出するようにすることもできる。移動量は、例えば、注視範囲の左隅上の座標から視聴範囲の左隅上の座標までの距離とすればよい。
【００６７】
表示指示部２３の注視範囲表示位置決定部２３５は、位置情報検索部２３４による視聴範囲に対する注視範囲の相対位置の算出結果に基づき、視聴範囲外となった注視範囲の広角カメラ映像を、視聴範囲において重畳表示させる表示位置および表示内容を決定する（ステップＳＴ６１１）。注視範囲表示位置決定部２３５は、決定した注視範囲の広角カメラ映像の表示位置および表示内容の情報と、視聴範囲の情報と、注視範囲の情報とを、視聴範囲表示指示部２３６に出力する。
【００６８】
ここで、図１０は、注視範囲表示位置決定部２３５による、注視範囲の広角カメラ映像を、視聴範囲において重畳表示させる表示位置および表示内容の決定動作の一例を説明する図である。
なお、ここでは、ステップＳＴ６１０において、位置情報検索部２３４により、注視範囲は、視聴範囲の右上（図９参照）の方向にあると判定されたものとする。
注視範囲表示位置決定部２３５は、例えば、図１０（ａ）に示すように、注視範囲の広角カメラ映像を、視聴範囲からみて注視範囲がある方向、すなわち、視聴範囲の右上に重畳表示させるよう決定する。
視聴範囲上に注視範囲の広角カメラ映像を重畳表示させる具体的な表示位置、すなわち、視聴範囲上の注視範囲の位置座標については、予め視聴範囲の大きさに応じた注視範囲の表示エリアの大きさを設定しておき、注視範囲表示位置決定部２３５は、当該表示エリアとなる視聴範囲上の位置座標を、重畳表示させる注視範囲の位置座標とするようにしてもよいし、重畳表示させる注視範囲の矩形の縦横の縮尺比を予め設定しておき、当該縮尺比に応じて縮尺した注視範囲が視聴範囲上の決められた方向、視聴範囲の右上に表示されるような視聴範囲上の座標を、重畳表示させる注視範囲の位置座標とするようにしてもよく、注視範囲を視聴範囲上のどの座標位置に重畳させるかは適宜設定可能である。
【００６９】
あるいは、注視範囲表示位置決定部２３５は、例えば、図１０（ｂ）に示すように、注視範囲の広角カメラ映像を、視聴範囲からみて視聴範囲がある方向、すなわち、視聴範囲の右上に重畳表示させるとともに、注視範囲のある方向、すなわち、視聴範囲の右上の方向のフレームの色を変化させる情報を作成し、表示させるように決定するようにしてもよい。視聴範囲上の注視範囲の位置座標の設定方法は、上述したとおりである。
【００７０】
あるいは、注視範囲表示位置決定部２３５は、例えば、図１０（ｃ）に示すように、注視範囲の広角カメラ映像を、視聴範囲からみて注視範囲がある方向、すなわち、視聴範囲の右上に重畳表示させるとともに、注視範囲のある方向、すなわち、視聴範囲の右上の方向を示す矢印の情報を作成し、表示させるよう決定するようにしてもよい。視聴範囲上の注視範囲の位置座標の設定方法は、上述したとおりである。
【００７１】
図１０で説明したように、視聴範囲からみて注視範囲がある方向の視聴範囲内に、注視範囲の広角カメラ映像を重畳表示させるようにすることで、注視範囲のあるアングルへ視聴者を誘導することができる。また、図１０（ｂ）（ｃ）のように、注視範囲の広角カメラ映像に加え、注視範囲のある方向をガイドするガイド情報を作成し、あわせて重畳表示させるようにすることで、より視聴者を注視範囲のあるアングルへ、より分かりやすく誘導することができる。
【００７２】
視聴範囲表示指示部２３６は、注視範囲表示位置決定部２３５が出力した注視範囲の広角カメラ映像の表示位置および表示内容の情報と、視聴範囲の情報と、注視範囲の情報とに基づき、視聴範囲の広角カメラ映像に注視範囲の広角カメラ映像を重畳表示させた広角カメラ映像を表示部２４に表示させる（ステップＳＴ６１２）。すなわち、視聴範囲表示指示部２３６は、注視範囲表示位置決定部２３５が決定した視聴範囲上の座標位置に注視範囲を表示させ、注視範囲のある方向をガイドする情報があれば当該ガイド情報を注視範囲表示位置決定部２３５が決定した位置に重畳表示させる。
【００７３】
なお、重畳表示させる注視範囲の矩形のもともとの縦横比、すなわち、注視範囲指定ファイル１６２に記録されている縦横比と、注視範囲表示位置決定部２３５が決定した注視範囲の矩形の縦横比が異なる場合は、視聴範囲表示指示部２３６は、注視範囲表示位置決定部２３５が決定した注視範囲の矩形の縦横比で注視範囲の広角カメラ映像が表示されるよう、広角カメラ映像を拡大あるいは縮小させるようにする。
【００７４】
図１１は、ステップＳＴ６１２で視聴範囲表示指示部２３６が表示部２４に表示させる画面の一例を説明する図である。
図１１において、ｃで示す範囲が注視範囲の広角カメラ映像が重畳表示される範囲であり、ｂで示す範囲が視聴範囲である。
視聴範囲表示指示部２３６は、図１１に示すように、注視範囲表示位置決定部２３５から出力された視聴範囲の広角カメラ映像を表示部２４に表示させる。また、視聴範囲表示指示部２３６は、注視範囲表示位置決定部２３５から取得した注視範囲の情報に基づき、注視範囲表示位置決定部２３５から指示された注視範囲の広角カメラ映像表示位置に、注視範囲の広角カメラ映像を表示させる。
なお、図１１では、矢印等のガイド情報は表示させない例を示しているが、注視範囲表示位置決定部２３５からガイド情報が出力された場合には、視聴範囲表示指示部２３６は、当該ガイド情報を表示させるようにする。
【００７５】
操作受付部２２は、視聴者から広角カメラ映像の再生終了指示を受け付けたかどうかを判断する（ステップＳＴ６０９）。具体的には、例えば、視聴者は、表示部２４に表示された映像再生終了ボタンをタッチする等の操作により、広角カメラ映像の再生終了を指示し、操作受付部２２は、当該操作を受け付けたかどうかを判断する。
【００７６】
ステップＳＴ６０９において、広角カメラ映像の再生終了指示を受け付けた場合（ステップＳＴ６０９の“ＹＥＳ”の場合）、処理終了する。
ステップＳＴ６０９において、広角カメラ映像の再生終了指示を受け付けていない場合（ステップＳＴ６０９の“ＮＯ”の場合）、ステップＳＴ６０５へ戻る。
【００７７】
なお、ステップＳＴ６１２で、視聴範囲の広角カメラ映像に注視範囲の広角カメラ映像を重畳表示させた後、視聴者の指示に基づき、注視範囲の広角カメラ映像の表示画面（ステップＳＴ６０４参照）に戻ることも可能である。
視聴者は、注視範囲の広角カメラ映像の表示画面に戻りたい場合、例えば、表示部２４に表示された「注視範囲に戻るボタン」をタッチする操作を行う。操作受付部２２が当該操作を受け付けると、当該操作の情報を注視範囲表示指示部２３１に出力する。注視範囲の左隅上の座標および縦横の長さはわかっているので、注視範囲表示指示部２３１は、当該注視範囲の左隅上の座標および縦横の長さの情報に基づき、視聴範囲の広角カメラ画像を表示部２４に表示させることができる（ステップＳＴ６０４参照）。
このように、視聴者は、視聴範囲の表示から注視範囲の表示に戻りたい場合、ボタンやキー等のワンクリックなどで現在の視聴範囲の広角カメラ映像表示から、注視範囲の広角カメラ映像表示に切り替えることができる。
【００７８】
また、この実施の形態１では、コンテンツ再生装置２はタブレットを想定して上述のとおり説明したが、例えば、コンテンツ再生装置２がウェアラブルグラスであった場合には、視聴者は、視聴範囲を指定する際、当該ウェアラブルグラスのジャイロセンサから方向情報を取得して、首の前後左右上下の動きと広角カメラ映像の表示アングルを連動させて視聴範囲を指定できるようにすることで、現実の３次元の空間の移動で広角カメラ映像の移動・拡大縮小を操作することができる。具体的には、視聴範囲設定部２３２は、ジャイロセンサから取得した３次元空間座標上の方向情報に基づき、視聴範囲を設定することができる。すなわち、現実の３次元空間座標のｚ軸方向移動と視聴範囲の拡大縮小を連動させることを実現できる。
【００７９】
また、位置情報検索部２３４が、注視範囲から視聴範囲への移動量を算出する場合、視聴範囲表示指示部２３６は、当該移動量に応じて、ガイド情報である視聴範囲のフレームの色や矢印の色の濃淡を変更するガイド情報を作成して表示部２４に表示させるようにしてもよい。また、注視範囲の広角カメラ映像を拡大縮小して重畳表示させた場合に、ガイド情報である視聴範囲のフレームの色や矢印の色の濃淡を変更するガイド情報や、視聴範囲と注視範囲とのスケールの差を示すガイド情報を作成して表示部２４に表示させるようにしてもよい。具体的には、例えば、注視範囲と視聴範囲の距離が遠いほど色を濃くし、近くなると色を薄くしたり、注視範囲の広角カメラ映像を表示する範囲のスケールが最適か、大きいか、小さいかによって色を変更させたりする。
【００８０】
また、注視範囲が複数ある場合は、位置情報検索部２３４が当該複数の注視範囲について、視聴範囲に対する注視範囲の相対位置を算出し、注視範囲表示位置決定部２３５は、それぞれの注視範囲の広角カメラ映像の表示位置および表示内容を決定するようにし、複数の注視範囲各々について、視聴範囲に注視範囲が含まれない場合に、視聴範囲の広角カメラ映像に前記注視範囲の広角カメラ映像を重畳して表示させる。
【００８１】
図１２は、この発明の実施の形態１に係るコンテンツ編集装置１のハードウェア構成の一例を示す図である。
この発明の実施の形態１において、表示部１７は、ディスプレイ１２０１である。ディスプレイ１２０１は、例えば、液晶ディスプレイやプラズマディスプレイである。また、表示部１７は、ＬＥＤ、ブラウン管等によって構成されるものであってもよい。
【００８２】
操作受付部１２は、この実施の形態１では、例えば、マウス１２０２やキーボード１２０３とする。なお、これは一例であり、これに限らず、その他のハードウェア構成としてもよい。
カメラ映像取得部１１は、入力Ｉ／Ｆ装置１２０４である。
調整部１３と、注視範囲指定ファイル作成部１４と、ファイル出力制御部１５の各機能は、処理回路１２０５により実現される。すなわち、コンテンツ編集装置１は、広角カメラ映像に対する前処理と、注視範囲指定ファイル作成を行い、広角カメラ映像ファイル１６１と注視範囲指定ファイル１６２とを作成するための処理回路１２０５を備える。処理回路１２０５は、図１２（ａ）に示すように専用のハードウェアであっても、図１２（ｂ）に示すようにメモリ１２０６に格納されるプログラムを実行するＣＰＵ１２０７であってもよい。
【００８３】
処理回路１２０５が専用のハードウェアである場合、処理回路は、例えば、単一回路、複合回路、プログラム化したプロセッサー、並列プログラム化したプロセッサー、ＡＳＩＣ、ＦＰＧＡ、またはこれらを組み合わせたものが該当する。
【００８４】
処理回路１２０５がＣＰＵ１２０７の場合、調整部１３と、注視範囲指定ファイル作成部１４と、ファイル出力制御部１５の機能は、ソフトウェア、ファームウェア、または、ソフトウェアとファームウェとの組み合わせにより実現される。すなわち、調整部１３と、注視範囲指定ファイル作成部１４と、ファイル出力制御部１５は、ＨＤＤ１２０８、メモリ１２０６等に記憶されたプログラムを実行するＣＰＵ１２０７、システムＬＳＩ等の処理回路により実現される。また、ＨＤＤ１２０８、メモリ１２０６等に記憶されたプログラムは、調整部１３と、注視範囲指定ファイル作成部１４と、ファイル出力制御部１５の手順や方法をコンピュータに実行させるものであるとも言える。ここで、メモリ１２０６とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００８５】
なお、調整部１３と、注視範囲指定ファイル作成部１４と、ファイル出力制御部１５の各機能について、一部を専用のハードウェアで実現し、一部をソフトウェアまたはファームウェアで実現するようにしてもよい。例えば、調整部１３については専用のハードウェアとしての処理回路１２０５でその機能を実現し、注視範囲指定ファイル作成部１４とファイル出力制御部１５については処理回路がメモリ１２０６に格納されたプログラムを読み出して実行することによってその機能を実現することが可能である。
記録媒体１６は、例えば、ＳＤカード１２０９を使用する。なお、これは一例にすぎず、記録媒体１６は、ＤＶＤ、メモリ１２０６等によって構成されるものであってもよい。
【００８６】
図１３は、この発明の実施の形態１に係るコンテンツ再生装置２のハードウェア構成の一例を説明する図である。
この発明の実施の形態１において、表示部２４、操作受付部２２は、ディスプレイ１３０１である。ディスプレイ１３０１は、例えば、タッチパネル方式の液晶ディスプレイやプラズマディスプレイである。また、表示部２４は、ＬＥＤ、ブラウン管等によって構成されるものであってもよい。なお、これは一例であり、これに限らず、その他のハードウェア構成としてもよい。
映像取得部２１は、入力Ｉ／Ｆ装置１３０２である。
表示指示部２３の各機能は、処理回路１３０３により実現される。すなわち、コンテンツ再生装置２は、視聴範囲が注視範囲から外れたかどうかを判定し、視聴範囲が注視範囲から外れた場合に、注視範囲と視聴範囲の相対位置を求め、注視範囲が視聴範囲に対してどの方向にあるかを判定し、当該判定結果に基づき、注視範囲の広角カメラ映像を視聴範囲の広角カメラ映像に重畳表示させる位置を決定し、表示させるための処理回路１３０３を備える。処理回路１３０３は、図１３（ａ）に示すように専用のハードウェアであっても、図１３（ｂ）に示すようにメモリ１３０４に格納されるプログラムを実行するＣＰＵ１３０５であってもよい。
【００８７】
処理回路１３０３が専用のハードウェアである場合、処理回路は、例えば、単一回路、複合回路、プログラム化したプロセッサー、並列プログラム化したプロセッサー、ＡＳＩＣ、ＦＰＧＡ、またはこれらを組み合わせたものが該当する。
【００８８】
処理回路１３０３がＣＰＵ１３０５の場合、表示指示部２３の各機能は、ソフトウェア、ファームウェア、または、ソフトウェアとファームウェとの組み合わせにより実現される。すなわち、表示指示部２３の各機能は、ＨＤＤ１３０６、メモリ１３０４等に記憶されたプログラムを実行するＣＰＵ１３０５、システムＬＳＩ等の処理回路により実現される。また、ＨＤＤ１３０６、メモリ１３０４等に記憶されたプログラムは、表示指示部２３の各機能の手順や方法をコンピュータに実行させるものであるとも言える。ここで、メモリ１３０４とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００８９】
なお、表示指示部２３の各機能について、一部を専用のハードウェアで実現し、一部をソフトウェアまたはファームウェアで実現するようにしてもよい。例えば、注視範囲表示指示部２３１については専用のハードウェアとしての処理回路１３０３でその機能を実現し、視聴範囲設定部２３２と範囲判定部２３３と位置情報検索部２３４と注視範囲表示位置決定部２３５と視聴範囲表示指示部２３６については処理回路がメモリ１３０４に格納されたプログラムを読み出して実行することによってその機能を実現することが可能である。
【００９０】
以上のように、この実施の形態１によれば、視聴者が確認したい内容が収録されていないという撮影漏れを防ぎ、編集者が視聴者に伝えたい範囲の映像と、当該視聴者に伝えたい範囲の周囲の映像とを含む技能伝承用ファイルを作成することができる。これにより、当該コンテンツ編集装置が作成した伝承用ファイルを元に広角カメラ映像を再生するコンテンツ再生装置において、視聴者が確認したい周囲の状況と技能伝承の対象作業が、同時に確認できるので、より効率的な技能伝承が可能となる。
【００９１】
なお、実施の形態１において、コンテンツ編集装置１は、図２で示すような構成としたが、コンテンツ編集装置１は、注視範囲指定ファイル作成部１４と、ファイル出力制御部１５とを備えることにより、上述したような効果が得られるものである。
また、実施の形態１において、コンテンツ再生装置２は、図３で示すような構成としたが、コンテンツ再生装置２は、表示指示部２３を備えることにより、上述したような効果が得られるものである。
【００９２】
また、本願発明はその発明の範囲内において、実施の形態の任意の構成要素の変形、もしくは実施の形態の任意の構成要素の省略が可能である。
【符号の説明】
【００９３】
１  コンテンツ編集装置、２  コンテンツ再生装置、３  広角カメラ、１１  カメラ映像取得部、１２，２２  操作受付部、１３  調整部、１４  注視範囲指定ファイル作成部、１５  ファイル出力制御部、１６  記録媒体、１７，２４  表示部、２１  映像取得部、２３  表示指示部、１４１  注視位置座標指定部、１４２  矩形範囲指定部、１４３  ファイル作成部、１６１  広角カメラ映像ファイル、１６２  注視範囲指定ファイル、２３１  注視範囲表示指示部、２３２  視聴範囲設定部、２３３  範囲判定部、２３４  位置情報検索部、２３５  注視範囲表示位置決定部、２３６  視聴範囲表示指示部、１２０１，１３０１  ディスプレイ、１２０２  マウス、１２０３  キーボード、１２０４，１３０２  入力Ｉ／Ｆ装置、１２０５，１３０３  処理回路、１２０６，１３０４  メモリ、１２０７，１３０５  ＣＰＵ、１２０８，１３０６  ＨＤＤ、１２０９  ＳＤカード。
【図１】
0006478830.tif 000002
【図２】
0006478830.tif 000003
【図３】
0006478830.tif 000004
【図４】
0006478830.tif 000005
【図５】
0006478830.tif 000006
【図６】
0006478830.tif 000007
【図７】
0006478830.tif 000008
【図８】
0006478830.tif 000009
【図９】
0006478830.tif 000010
【図１０】
0006478830.tif 000011
【図１１】
0006478830.tif 000012
【図１２】
0006478830.tif 000013
【図１３】
0006478830.tif 000014